(57)【要約】【課題】サポートの平面度・平行度・直角度の幾何寸法公差をなくし、かつ、絶縁距離確保のための部品実装禁止領域をなくすことにより、電力量計を安価にすることができる電力量計用絶縁ケースを提供する。【解決手段】電力量計のベース８に設けられたサポート５に組み込まれる電力量計用絶縁ケース１であって、絶縁ケース１に基板６を取り付けるための基板取付爪３と、この基板取付爪３により絶縁ケース１に取り付けられる基板６の取付位置を決める基板取付位置決め部２ａ，２ｂと、サポート５に沿って絶縁ケース１をスライドさせながら絶縁ケース１をサポート５に固定させるスライド挿入部４とを有している。【選択図】　　　図１
2004125527.tif 000002
【特許請求の範囲】
【請求項１】
電力量計のベースに設けられたサポートに組み込まれる電力量計用絶縁ケースであって、
前記絶縁ケースに基板を取り付けるための基板取付部と、
この基板取付部により前記絶縁ケースに取り付けられる前記基板の取付位置を決める基板取付位置決め部と、
前記サポートに沿って前記絶縁ケースをスライドさせながら前記絶縁ケースを前記サポートに固定させるスライド固定部と、
を有することを特徴とする電力量計用絶縁ケース。
【請求項２】
前記絶縁ケースに銘板を取り付けるための銘板取付部と、
この銘板取付部により前記絶縁ケースに取り付けられる前記銘板の取付位置を決める銘板取付位置決め部と、
を有することを特徴とする請求項１の電力量計用絶縁ケース。
【請求項３】
変流器に有する取付爪と嵌合して前記変流器を前記絶縁ケースに取り付ける変流器取付部を有することを特徴とする請求項１又は請求項２の電力量計用絶縁ケース。
【発明の詳細な説明】
【０００１】
【発明の属する技術分野】
本発明は、電力量計のベースに設けられたサポートに組み込まれる電力量計用絶縁ケースに関する。
【０００２】
【従来の技術】
電力量計は、入力された電流と入力された電圧とに基づいて電力量を計測するもので、前記電流及び電圧を入力するための電源端子及び負荷端子等とを有する端子ブロックと、電流と電圧とに基づいて電力量を計算するＣＰＵ等を実装した基板と、この基板をサポートを介して取り付けたベースとを有している。
【０００３】
図７に従来の電子式電力量計の側面図を示す（非特許文献１）。図８に従来の電子式電力量計のベースブロック組立の正面図を示す（非特許文献１）。
【０００４】
図７及び図８に示す電子式電力量計は、電源端子及び負荷端子等の端子２２が設けられた端子ブロック２１と鋼板からなるベース８とを有しており、このベース８には鋼板からなるサポート５が２箇所設けられている。このサポート５は、両端に形成された基準面１７に対して前記両端以外の部分が凹形状に折り曲げられている。
【０００５】
このように構成されたサポート５への基板６Ａ，６Ｂ及び銘板９の組み込みは、以下のようにして行われる。まず、サポート５に基板６Ａを黄銅からなるポスト１６によって締付けて固定し、このポスト１６上で且つ基準面１７より高い位置に基板６Ｂを配置し、この基板６Ｂをポスト１６によって締付けて固定する。そして、ポスト１６の上で且つ基準面１７より高い位置に銘板９をネジ７で取付けている。このため、サポート５の基準面１７の平面度とベース８との平行度及びポスト取付ネジ穴の直角度が必要である。
【０００６】
【非特許文献１】
日本電気計器検定所の電気計器型式集　型式承認番号１１２１号（第３頁の構造図及び側面図、第２０頁のベース〔１７〕、第２２頁の端子ボックス〔１９〕）
【０００７】
【発明が解決しようとする課題】
しかしながら、図７及び図８に示すサポート５は、プレス部品でタップ加工を行なっているので、平面度・平行度・直角度を規格内に入れるのは困難であった。この平面度・平行度・直角度が規格内に入っていないと、ポスト１６の組立て位置寸法がでなくなり、基板６Ａ，６Ｂの取付穴さらには、銘板９の取付穴からポスト１６の取付ネジ穴が外れてしまい、ポスト１６への基板６Ａ，６Ｂ及び銘板９の組み込みが行えなくなる恐れがある。このため、歩留りが悪く、コストアップの要因となっていた。
【０００８】
また、組み込み後には、ベース８とサポート５とポスト１６とネジ７とが同電位となるため、基板６Ａ，６Ｂのポスト取付位置から絶縁距離確保のための部品実装禁止領域が必要となる。即ち、ポスト１６が金属であるため、例えば８ｋＶ雷インパルス対策では、基板６Ａ，６Ｂのポスト取付位置から絶縁距離として約８ｍｍ確保する必要がある。このため、部品実装領域が少なくなり、従来の電子式電力量計では、所定数の電子部品等を搭載するために基板が２枚必要であった。このため、コストアップとなっていた。
【０００９】
本発明は、サポートの平面度・平行度・直角度の幾何寸法公差をなくし、かつ、絶縁距離確保のための部品実装禁止領域をなくすことにより１枚基板とし、電力量計を安価にすることができる電力量計用絶縁ケースを提供することにある。
【００１０】
【課題を解決するための手段】
上記課題を達成するために、請求項１の発明は、電力量計のベースに設けられたサポートに組み込まれる電力量計用絶縁ケースであって、前記絶縁ケースに基板を取り付けるための基板取付部と、この基板取付部により前記絶縁ケースに取り付けられる前記基板の取付位置を決める基板取付位置決め部と、前記サポートに沿って前記絶縁ケースをスライドさせながら前記絶縁ケースを前記サポートに固定させるスライド固定部と、を有することを特徴とする。
【００１１】
請求項１の発明に係る電力量計用絶縁ケースによれば、スライド固定部がサポートに沿って絶縁ケースをスライドさせながら絶縁ケースをサポートに固定させるので、サポートの平面度・平行度・直角度の幾何寸法公差をなくすことができる。また、絶縁ケースに基板取付位置決め部と基板取付部とが設けられているので、高さ位置決めのためのポストとネジ等の締結部品を必要とすることなくワンタッチで、基板を絶縁ケースに組み込むことができる。このため、組み込み作業を向上することができる。また、絶縁距離確保のための部品実装禁止領域をなくすことにより１枚基板とし、電力量計を安価にすることができる電力量計用絶縁ケースを提供することができる。
【００１２】
請求項２の発明に係る電力量計用絶縁ケースは、前記絶縁ケースに銘板を取り付けるための銘板取付部と、この銘板取付部により前記絶縁ケースに取り付けられる前記銘板の取付位置を決める銘板取付位置決め部と、を有することを特徴とする。
【００１３】
請求項２の発明に係る電力量計用絶縁ケースによれば、絶縁ケースに銘板取付位置決め部と銘板取付部とが設けられているので、高さ位置決めのためのポストとネジ等の締結部品を必要とすることなくワンタッチで、銘板を絶縁ケースに組み込むことができる。このため、組み込み作業を向上することができる。
【００１４】
請求項３の発明に係る電力量計用絶縁ケースは、変流器に有する取付爪と嵌合して前記変流器を前記絶縁ケースに取り付ける変流器取付部を有することを特徴とする。
【００１５】
請求項３の発明に係る電力量計用絶縁ケースによれば、絶縁ケースに有する変流器取付部が変流器に有する取付爪と嵌合することで、絶縁ケースに変流器が取り付けられる。このため、ネジ等の締結部品が必要なくなり、ワンタッチで、変流器を絶縁ケースに取付けることができる。このため、組み込み作業を向上することができる。
【００１６】
【発明の実施の形態】
以下、本発明に係る電力量計用絶縁ケースの実施の形態について図面を参照しながら詳細に説明する。
【００１７】
（第１の実施の形態）
図１は第１の実施の形態に係る電力量計用絶縁ケースの斜視図である。図２は第１の実施の形態に係る電力量計用絶縁ケースのサポートへの組み込み及び電力量計用絶縁ケースへの基板取付の斜視図である。図３は第１の実施の形態に係る電力量計用絶縁ケースを有する電子式電力量計の正面図である。
【００１８】
電力量計用絶縁ケース（以下、絶縁ケースと称する。）１は、電力量計のベース８に設けられたサポート５に組み込まれるものであって、底部と側面部とを有し且つ上部が開口された箱状の絶縁体からなる。絶縁ケース１には、底部の四隅近傍に基板６を当該絶縁ケース１に取り付けるための基板取付爪３が形成されており、基板６には、基板取付爪３に対向する位置に、角穴６ａが形成されている。
【００１９】
また、絶縁ケース１には、絶縁ケース１に取り付けられる基板６の取付位置を決める四角形状の２つの基板取付位置決め部２ａと板状の１つの基板取付位置決め部２ｂとが形成されている。また、絶縁ケース１の側面部の一端には、スライド挿入部４が形成されている。このスライド挿入部４は、逆Ｌ字状をなしており、サポート５に形成されたＬ字部５ａに沿って絶縁ケース１をスライドさせながらネジ７の締め付けにより絶縁ケース１をサポート５に固定させる。
【００２０】
なお、サポート５は、Ｌ字部５ａを有し、このＬ字部５ａにはネジ７に螺合する穴部５ｂが形成されている。
【００２１】
次に、図２に示す斜視図を参照しながら、絶縁ケース１のサポート５への組み込み及び絶縁ケース１への基板６の取付を説明する。
【００２２】
まず、絶縁ケース１をサポート５へ組み込む場合には、サポート５に形成されたＬ字部５ａに絶縁ケース１のスライド挿入部４をスライドさせて引掛ける。そして、ネジ７を絶縁ケース１を通してサポート５に形成された穴部５ｂに締め付けることにより、絶縁ケース１をサポート５に固定する。即ち、絶縁ケース１のスライド挿入部４によって、サポート５の寸法誤差を吸収するので、サポート５の平面度・平行度・直角度の幾何寸法公差をなくすことができる。また、歩留まりが良くなるので、コストダウンを図ることができる。
【００２３】
次に、絶縁ケース１に基板６を取り付ける場合には、絶縁ケース１の開口部分から基板６を絶縁ケース１内に挿入していくと、基板６の角穴６ａが基板取付爪３を挿通し、該基板６は、基板取付位置決め部２ａ，２ｂの先端に当接して停止する。また、このとき、基板６の上面端は、基板取付爪３の先端爪部に引っ掛かって基板６が固定される。即ち、絶縁ケース１に基板取付位置決め部２ａ，２ｂと基板取付爪３とが設けられているので、高さ位置決めのためのポスト１６とネジ等の締結部品を必要とすることなくワンタッチで、基板６を絶縁ケース１に組み込むことができる。このため、組み込み作業を向上することができる。
【００２４】
また、絶縁体を材料とした絶縁ケース１を用いたので、基板６の絶縁距離確保のための部品実装禁止領域をなくすことができ、部品実装領域が広くなる。部品実装領域が広くなったことにより、従来の電子式電力量計では、２枚の基板６Ａ，Ｂが必要であったが、第１の実施の形態に係る電子式電力量計では、１枚の基板６のみで済む。
【００２５】
（第２の実施の形態）
次に、本発明の第２の実施の形態に係る電力量計用絶縁ケースについて説明する。図４は第２の実施の形態にかかる電力量計用絶縁ケースへの銘板取付の斜視図である。
【００２６】
図４に示す絶縁ケース１２では、サポート５への絶縁ケース１２の組み込み、絶縁ケース１２への基板６及び銘板９の取付を行なうようにしたものであり、サポート５への絶縁ケース１２の組み込み、及び絶縁ケース１２への基板取付は、図１に示したものと同一であるので、ここでは、その説明は省略し、絶縁ケース１２への銘板取付についてのみ説明する。
【００２７】
絶縁ケース１２の側面部には、絶縁ケース１２に銘板９を取り付けるための銘板取付爪１１が形成されている。この銘板取付爪１１は、絶縁ケース１２の側面部を切り欠いた切欠部１１ａを設けることにより形成される。銘板９には、銘板取付爪１１に対向する位置に、角穴９ａが形成されている。
【００２８】
また、絶縁ケース１２の側面部の上端面は、絶縁ケース１２に取り付けられる銘板９の取付位置を決める銘板取付位置決め部１０となっている。
【００２９】
次に、図４に示す斜視図を参照しながら、絶縁ケース１２のサポート５への組み込み及び絶縁ケース１への基板６及び銘板９の取付を説明する。まず、絶縁ケース１２をサポート５に組み込む。このため、サポート５の平面度・平行度・直角度の幾何寸法公差をなくすことができる。また、歩留まりが良くなるので、コストダウンを図ることができる。
【００３０】
次に、基板６を絶縁ケース１２に取り付けた後に、絶縁ケース１２の開口部分へ銘板９を持っていくと、銘板９の角穴９ａが銘板取付爪１１を挿通し、該銘板９は、銘板取付位置決め部１０に当接して停止する。また、このとき、銘板９の上面端は、銘板取付爪１１の先端爪部に引っ掛かって銘板９が固定される。即ち、絶縁ケース１２に銘板取付位置決め部１０と銘板取付爪１１とが設けられているので、高さ位置決めのためのポスト１６とネジ等の締結部品を必要とすることなくワンタッチで、銘板９を絶縁ケース１２に取り付けることができる。このため、取り付け作業を向上することができる。
【００３１】
（第３の実施の形態）
次に本発明の第３の実施の形態に係る電力量計用絶縁ケースについて説明する。図５は第３の実施の形態に係る電力量計用絶縁ケースへの変流器取付の斜視図である。図６は第３の実施の形態に係る電力量計用絶縁ケースに形成された変流器取付爪及び角穴の詳細を示す図である。
【００３２】
第３の実施の形態に係る電力量計用絶縁ケースは、第２の実施の形態に係る電力量計用絶縁ケースにさらに変流器を取り付けるように構成したものである。図５に示す変流器１４には取付爪１３が形成されている。また、絶縁ケース１５には変流器１４を収容するための角穴１９と、変流器１４に形成された取付爪１３と係合する変流器取付部１８とが形成されている。
【００３３】
このように構成された第３の実施の形態に係る電力量計用絶縁ケース１５によれば、変流器取付部１８を有する絶縁ケース１５をサポート５に組み込んだ後、変流器１４を絶縁ケース１５の角穴１９に挿入し、変流器１４の取付爪１３を絶縁ケース１５の変流器取付部１８に嵌合させる。その後、基板６、又は基板６と銘板９とを絶縁ケース１５に取付ける。
【００３４】
このように、第３の実施の形態に係る電力量計用絶縁ケース１５によれば、絶縁ケース１５にサポート５を組み込みので、サポート５の平面度・平行度・直角度の幾何寸法公差をなくすことができる。また、絶縁ケース１５に変流器取付部１８を有しているので、ネジ等の締結部品が必要なくなり、基板６と銘板９と同様にワンタッチで、変流器１４を絶縁ケース１５に取付けることができる。このため、組み込み作業を向上することができる。
【００３５】
【発明の効果】
本発明によれば、サポートの平面度・平行度・直角度の幾何寸法公差をなくすことができる。また、絶縁ケースに基板取付位置決め部と基板取付部とが設けられているので、高さ位置決めのためのポストとネジ等の締結部品を必要とすることなくワンタッチで、基板を絶縁ケースに組み込むことができる。このため、組み込み作業を向上することができる。また、絶縁距離確保のための部品実装禁止領域をなくすことにより、電力量計を安価にすることができる。
【図面の簡単な説明】
【図１】第１の実施の形態に係る電力量計用絶縁ケースの斜視図である。
【図２】第１の実施の形態に係る電力量計用絶縁ケースのサポートへの組み込み及び電力量計用絶縁ケースへの基板取付の斜視図である。
【図３】第１の実施の形態に係る電力量計用絶縁ケースを有する電子式電力量計の正面図である。
【図４】第２の実施の形態に係る電力量計用絶縁ケースへの銘板取付の斜視図である。
【図５】第３の実施の形態に係る電力量計用絶縁ケースへの変流器取付の斜視図である。
【図６】第３の実施の形態に係る電力量計用絶縁ケースに形成された変流器取付爪及び角穴の詳細を示す図である。
【図７】従来の電子式電力量計の側面図である。
【図８】従来の電子式電力量計のベースブロック組立の正面図である。
【符号の説明】
１，１２，１５　絶縁ケース
２ａ，２ｂ　基板取付位置決め部
３　基板取付爪
４　スライド挿入部
５　サポート
６，６Ａ，６Ｂ　基板
６ａ，９ａ，１９　角穴
７　ネジ
８　ベース
９　銘板
１０　銘板取付位置決め部
１１　銘柄板取付爪
１１ａ　切欠部
１３　取付爪
１４　変流器
１６　ポスト
１７　基準面
１８　変流器取付部
【図１】
2004125527.tif 000003
【図２】
2004125527.tif 000004
【図３】
2004125527.tif 000005
【図４】
2004125527.tif 000006
【図５】
2004125527.tif 000007
【図６】
2004125527.tif 000008
【図７】
2004125527.tif 000009
【図８】
2004125527.tif 000010